(57)【要約】【課題】室内空間の有効活用が可能でコスト低減を図ることのできる発熱体収納箱冷却装置を得ることを目的とする。【解決手段】プリーツ折りした伝熱板１の４周を囲む枠体２と、伝熱板１の一面に形成される内気通路３と他面側に形成される外気通路４と、伝熱板１の山部５に当接し、内気通路入口６と内気通路出口７および外気通路入口８と外気通路出口９を形成する閉鎖板１０を設けた熱交換素子１１を備え、内気通路３を発熱体収納箱内の空気を取り込む室内側１２に、外気通路４を室外側に面して設け、発熱板収納箱を冷却せしめることにより、室内空間の有効利用が可能でコスト低減を図ることができる発熱体収納箱冷却装置が得られる。【選択図】図１
2008261562.tif 000002
【特許請求の範囲】
【請求項１】
プリーツ折りした伝熱板と、この伝熱板の４周を囲む枠体と、前記伝熱板のプリーツ折りした長手方向の一面に形成される内気通路と、この内気通路の他面側に形成される外気通路と、前記プリーツ折りした伝熱板の山部に当接し、前記枠体との間に内気通路入口と内気通路出口および外気通路入口と外気通路出口が形成されるように設けられる閉鎖板を設けた熱交換素子を備え、前記内気通路を発熱体収納箱内の空気を取り込む室内側に面して設け、外気通路を室外側に面して設け、前記発熱体収納箱を冷却せしめる構成とした発熱体収納箱冷却装置。
【請求項２】
内気通路と外気通路に送風用ファンを設けた請求項１記載の発熱体収納箱冷却装置。
【請求項３】
熱交換素子の伝熱板のプリーツ折り時に両面山部に間欠塗布した樹脂製のスペーサーを設けた請求項１または２記載の発熱体収納箱冷却装置。
【請求項４】
発熱体収納箱の収まるユニットハウス壁面に発熱体収納箱冷却装置の本体を一体化して設けた請求項１〜３記載の発熱体収納箱冷却装置。
【請求項５】
熱交換素子の伝熱板を熱伝導率の高い金属箔により形成した請求項１〜４記載の発熱体収納箱冷却装置。
【発明の詳細な説明】
【技術分野】
【０００１】
発熱体収納箱の冬季における冷却を効率良く行なう発熱体収納箱冷却装置に関する。
【背景技術】
【０００２】
従来、この種の発熱体収納箱冷却装置の一例として発熱体収納箱冷却装置とその制御方法が知られている（例えば、特許文献１参照）。
【０００３】
以下、その発熱体収納箱冷却装置と、その制御方法について図７を参照にしながら説明する。
【０００４】
図に示すように、発熱体収納箱冷却装置の箱体１０１は、発熱体収納箱のパネルの外部に取り付けられ、箱体１０１内の空気は、内気吸込口１０２より送風機の内気側ファン１０３ａに取り込まれたのち、熱交換素子１０４を通過して、発熱体収納箱内に戻るように循環させる内気通路１０５を形成し、一方、外気吸込口１０６より外気を取り込み、熱交換素子１０４を通り、送風機の外気側ファン１０３ｂ、外気吹出口１０７を介して、また、外気に排出する外気風路１０８を形成している。
【０００５】
これらの内気通路１０５と外気通路１０８の交点には外気と内気の顕熱を交換する熱交換素子１０４が配置されている。
【特許文献１】特開２００１−１５６４７８号公報（［００３４］〜［００３８］図１）
【発明の開示】
【発明が解決しようとする課題】
【０００６】
このような従来の発熱体収納箱冷却装置とその制御方法では、交差型の積重ね式熱交換素子を用いるため、厚みが厚く室内空間の有効利用が図れないという課題があり、室内空間の有効利用を図ることが要求されている。
【０００７】
また、積重ね式の熱交換素子は構造が複雑でコスト高となる課題がありコストを低減することが要求されている。
【０００８】
また、積重ね式の熱交換素子は厚みが厚いため室内外の壁面を構成するパネルと一体化が不可能であるという課題があり、パネルと一体化を可能にすることが要求されている。
【０００９】
本発明は、このような従来の課題を解決するものであり、室内空間の有効活用が可能で、コスト低減を図ることができるとともに、パネルと一体化が可能な発熱体収納箱冷却装置を提供することを目的としている。
【課題を解決するための手段】
【００１０】
本発明の発熱体収納箱冷却装置は上記目的を達成するために、プリーツ折りした伝熱板と、この伝熱板の４周を囲む枠体と、前記伝熱板のプリーツ折りした長手方向の一面に形成される内気通路と、この内気通路の他面側に形成される外気通路と、前記プリーツ折りした伝熱板の山部に当接し、前記枠体との間に、内気通路入口と内気通路出口および外気通路入口および外気通路出口が形成されるように設けられる閉鎖板を設けた熱交換素子とを備え、前記内気通路を発熱体収納箱内の空気を取り込む室内側に面して設け、外気通路を室外側に面して設け、前記発熱体収納箱を冷却せしめる構成としたものである。
【００１１】
この手段により、室内空間の有効活用が可能でコスト低減を図ることのできる発熱体収納箱冷却装置が得られる。
【００１２】
また、他の手段は、内気通路と外気通路に送風用ファンを設けたものである。
【００１３】
この手段により、熱交換効率を高めることのできる発熱体収納箱冷却装置が得られる。
【００１４】
また、他の手段は、熱交換素子の伝熱板のプリーツ折りした時に両面山部に間欠塗布した樹脂製のスペースを設けたものである。
【００１５】
この手段により、流路間で乱流が発生し熱交換効率が高められる発熱体収納箱冷却装置が得られる。
【００１６】
また、他の手段は、発熱体収納箱の収まるユニットハウス壁面に、発熱体収納箱冷却装置を一体化して設けたものである。
【００１７】
この手段により、冷却効果の大きな発熱体収納箱冷却装置が得られる。
【００１８】
また、他の手段は、熱交換素子の伝熱板を熱伝導率の高い金属箔により形成したものである。
【００１９】
この手段により、省エネ効果の大きい発熱体収納箱冷却装置が得られる。
【発明の効果】
【００２０】
本発明によれば、室内空間の有効活用が可能でコスト低減を図ることができるという効果のある発熱体収納箱冷却装置を提供できる。
【００２１】
また、熱交換効率を高めることができるという効果のある発熱体収納箱冷却装置を提供できる。
【００２２】
また、冷却効果の大きいという効果のある発熱体収納箱冷却装置を提供できる。
【００２３】
また、省エネ効果の大きいという効果のある発熱体収納箱冷却装置を提供できる。
【発明を実施するための最良の形態】
【００２４】
本発明の請求項１記載の発明は、プリーツ折りした伝熱板と、この伝熱板の４周を囲む枠体と、前記伝熱体のプリーツ折り長手方向の一面に形成される内気通路と、この内気通路の他面側に形成される外気通路と、前記プリーツ折りした伝熱板の山部に当接し、前記枠体との間に内気通路入口と内気通路出口および外気通路入口と外気通路出口が形成されるように設けられる閉鎖板を設けた熱交換素子を備え、前記内気通路を発熱体収納箱内の空気を取り込む室内側に面して設け、外気通路を室外側に面して設け、前記発熱体収納箱を冷却せしめる構成としたものであり、熱交換素子はプリーツ折りした伝熱板を使用することにより、薄型に形成することができ、発熱体の置かれる室内空間の占有容積が少なくなり、室内空間の有効活用が可能となるとともに、積重ね式の従来の熱交換素子に比較して構造が簡単となりコストを低減することができるという作用を有する。
【００２５】
また、請求項２記載の発明は、内気通路と外気通路に送風用ファンを設けたものであり、発熱体の置かれている室内空間の温度の高い空気が強制的に内気通路を流れるとともに、冬季における低温の室外空気が外気通路に強制的に流れることとなり、熱交換効率を高めることができるという作用を有する。
【００２６】
また、請求項３記載の発明は、熱交換素子の伝熱板のプリーツ折り時に両面山部に間欠塗布した樹脂製のスペーサーを設けたものであり、伝熱板の山部に設けられたスペースにより、伝熱板の表面を流れる室内空気および室外空気が流路間で乱流が発生し熱交換効率が高められるとともに、流路を確保するために設けられる閉鎖板の固定が、閉鎖板上よりアイロン等の熱を加えることにより、閉鎖板をスペーサーに固定することができ、組み立て作業時間の大幅な短縮が可能となるという作用を有する。
【００２７】
また、請求項４記載の発明は、発熱体収納箱の収まるユニットハウスの壁面に発熱体収納箱冷却装置の本体を一体化して設けたものであり、室内外を仕切る壁面を構成するパネルと一体化が可能となり、冷却効果を高めることができるとともに、室内と室外を伝熱板で遮断するため、外部から室内への雨水の浸入および虫の侵入を防ぐことができ、室内への雨水および虫の浸入による制御装置等の誤動作の発生を防止できるという作用を有する。
【００２８】
また、請求項５記載の発明は、熱交換素子の伝熱板を熱伝導率の高い金属箔により形成したものであり、熱交換率の高い銅、アルミ等の金属材料を使用することができ、このことにより、内気通路および外気通路に強制的に気流を送る送風ファンの運転を停止しても、外部の自然の風および低温の空気により熱交換が可能となり、省エネ効果が大きくなるという作用を有する。
【００２９】
以下、本発明の実施の形態について図面を参照しながら説明する。
【００３０】
（実施の形態１）
図１〜図５に示すように、プリーツ折りした伝熱板１と、伝熱板１の４周を囲む枠体２と、伝熱板１のプリーツ折りした長手方向の一面に形成される内気通路３と、内気通路３の他面側に形成される外気通路４と、プリーツ折りした伝熱板１の山部５に当接し枠体２との間に内気通路入口６と内気通路出口７および外気通路入口８と外気通路出口９が形成される閉鎖板１０を設けた熱交換素子１１を備え、内気通路３を発熱体収納箱内の空気を取り込む室内側１２に面して設け、外気通路４を室外側１３に面して設け、発熱体収納箱を冷却せしめるように設け構成する。
【００３１】
また、内気通路３に送風用ファン１４を設け、外気通路４に送風用ファン１４Ａを設け、熱交換素子１１の伝熱板１のプリーツ折り時に両面の山部５にポリオレフイン、または、ＥＶＡを間欠塗布した樹脂製のスペーサー１５を設け、発熱体収納箱の収まるユニットハウスの壁面１６に発熱体収納箱冷却装置の本体１７を設けて構成する。
【００３２】
上記構成においては、発熱体収納箱の熱気が熱交換素子１１の内気通路３に流れ、冬季において低温の外気が外気通路４を通り伝熱板１を介して内気通路３を通る熱気が、外気通路４を通る低温の外気との温度差により熱交換されて内気通路３を通った空気の温度が低くなり発熱体収納箱が冷却される。
【００３３】
このように本発明の実施の形態１の発熱体収納箱冷却装置によれば、プリーツ折りした伝熱板１と、伝熱板１の４周を囲む枠体２と、伝熱板１のプリーツ折りした長手方向の一面に形成される内気通路３と、内気通路３の他面側に形成される外気通路４と、プリーツ折りした伝熱板１の山部５に当接し、枠体２との間に内気通路入口６と内気通路出口７および外気通路入口８と外気通路出口９が形成される閉鎖板１０を設けた熱交換素子１１を備え、内気通路３を発熱体収納箱内の空気を取り込む室内側１２に面して設け、外気通路４を室外側１３に面して設け、発熱体収納箱を冷却せしめる構成としたので、熱交換素子１１はプリーツ折りした伝熱板１を使用することにより薄型で小型に形成することができ、発熱体収納箱の置かれる室内側１２の空間の占有容積が少なくなり、室内側１２空間の有効利用が可能となるとともに、積重ね式の従来の熱交換素子に比較して構造が簡単となりコストを低減することができることとなる。
【００３４】
また、内気通路３と外気通路４に送風用ファン１４、１４Ａを設けたので、発熱体の置かれている室内側１２空間の温度の高い空気が強制的に内気通路３に送られるとともに、冬季における低温の室外側１３空気が外気通路４に強制的に流れることとなり、熱交換効率を高めることができることとなる。
【００３５】
また、熱交換素子１１の伝熱板１のプリーツ折り時に両面の山部５に間欠塗布した樹脂製のスペーサー１５を設けたので、伝熱板１の山部５に設けられたスペーサー１５により伝熱板１の表面に流れる室内空気および室外空気が流路間で乱流が発生し熱交換効率が高められるとともに、流路を確保するために設けられる閉鎖板１０の固定が閉鎖板１０上よりアイロン等の熱を加えることにより、スペーサー１５に固定することができ、組み立て作業時間の大幅な短縮が可能となることとなる。
【００３６】
また、発熱体収納箱の収まるユニットハウスの壁面１６に、発熱体収納箱冷却装置の本体１７を一体化して設けたので、室内外の壁面１６を構成するパネルと一体化が可能となり、冷却効果を高めることができるとともに、室内側１２と室外側１３を伝熱板１で遮断するため、室外側１３から室内側１２に雨水の浸入および虫の浸入を防ぐことができ、室内側１２への雨水および虫の浸入による制御装置等の誤動作等の発生を防止できることとなる。
【００３７】
（実施の形態２）
図６に示すように、熱交換素子１１Ａの伝熱板１Ａを熱伝導率の高い金属箔により形成した構成とする。
【００３８】
上記構成においては、熱交換率の高い銅、アルミ等の金属材料を使用することができ、このことにより、内気通路３Ａおよび外気通路４Ａに強制的に気流を送る送風ファン１４Ｂ、１４Ｃの運転を停止しても、外部の自然の風および低温の空気により伝熱板１Ａを介して熱交換が可能となり、省エネ効果が大きくなることとなる。
【産業上の利用可能性】
【００３９】
本発明にかかる発熱体収納箱冷却装置は、室内空間の有効活用が可能でコスト低減を図ることのできる効果を奏し、発熱体収納箱の冬季における冷却を効率良く行なうための発熱体収納箱冷却装置等に有用である。
【図面の簡単な説明】
【００４０】
【図１】本発明の実施の形態１の発熱体収納箱冷却装置の設置状態を示す概略図
【図２】同発熱体収納箱冷却装置の閉鎖板を除いた熱交換素子の斜視図
【図３】同発熱体収納箱冷却装置のスペーサーの状態を示す部分断面図
【図４】同発熱体収納箱冷却装置の熱交換素子の斜視図
【図５】同発熱体収納箱冷却装置の熱交換素子の断面図
【図６】本発明の実施の形態２の発熱体収納箱冷却装置の設置状態を示す概略図
【図７】従来の発熱体収納箱冷却装置の概略断面図
【符号の説明】
【００４１】
１      伝熱板
１Ａ    伝熱板
２      枠体
３      内気通路
４      外気通路
５      山部
６      内気通路入口
７      内気通路出口
８      外気通路入口
９      外気通路出口
１０    閉鎖板
１１    熱交換素子
１１Ａ  熱交換素子
１２    室内側
１３    室外側
１４    送風用ファン
１４Ａ  送風用ファン
１５    スペーサー
１６    壁面
１７    本体
【図１】
2008261562.tif 000003
【図２】
2008261562.tif 000004
【図３】
2008261562.tif 000005
【図４】
2008261562.tif 000006
【図５】
2008261562.tif 000007
【図６】
2008261562.tif 000008
【図７】
2008261562.tif 000009